(57)【特許請求の範囲】
【請求項１】
第１のマットレスと、
前記第１のマットレス上に重ねられ、リバーシブルで使用可能である第２のマットレスと、
前記第１のマットレスと前記第２のマットレスとを固定する固定部材と
を具備し、
前記固定部材は、
一端が前記第１のマットレスの側面の下端部に固定された第１のベルトと、
第１の固定部と第２の固定部とを有し、前記第１の固定部が前記第２のマットレスの側面における下端部に固定され、前記第２の固定部が前記第２のマットレスの前記側面における上端部に固定された第２のベルトと、
前記第２のベルトに通され、前記第２のマットレスの前記側面における前記上端部から前記下端部まで可動し、前記第１のベルトが通されて前記第１のマットレスと前記第２のマットレスとを固定する第１の連結具と、
前記第１のベルトに設けられ、前記第１の連結具を通して前記第２のベルトの前記第１の固定部又は前記第２の固定部の近傍で外側に折り返された前記第１のベルトを前記第１のマットレスの前記側面上で重ねて固定するための第１の部材と
を有し、
前記第１のマットレスと前記第２のマットレスとを固定する際に、前記第１のベルトの前記一端と前記第１のベルトの他端とは、前記第１のマットレスの前記側面の前記下端部で、前記第１の部材によって固定されることを特徴とするマットレス。
【請求項２】
前記第２のマットレス上に重ねられ、リバーシブルで使用可能である第３のマットレスをさらに具備し、
前記固定部材は、前記第１のマットレスと前記第２のマットレスと前記第３のマットレスとを固定し、
前記第２のベルトは、第１の部分と、第２の部分と、前記第１の部分と前記第２の部分との間に位置する第１の中央部分とを有し、
前記第１の固定部は、前記第１の部分と前記第１の中央部分との境界に位置し、
前記第２の固定部は、前記第２の部分と前記第１の中央部分との境界に位置し、
前記第１乃至第３のマットレスの固定時に、前記第２のベルトは、前記第１の中央部分上に前記第１及び第２の部分が重ねられた３層構造になっており、
前記固定部材は、
前記第２のベルトに設けられ、前記第１の中央部分上に前記第１及び第２の部分を重ねて固定するための第２の部材と、
第３の固定部と第４の固定部とを有し、前記第３の固定部が前記第３のマットレスの側面における下端部に固定され、前記第４の固定部が前記第３のマットレスの前記側面における上端部に固定された第３のベルトと、
前記第３のベルトに通され、前記第３のマットレスの前記側面における前記上端部から前記下端部まで可動し、前記第２のベルトが通されて前記第２のマットレスと前記第３のマットレスとを固定する第２の連結具と
をさらに有する、ことを特徴とする請求項１に記載のマットレス。
【請求項３】
前記第３のベルトは、第３の部分と、第４の部分と、前記第３の部分と前記第４の部分との間に位置する第２の中央部分とを有し、
前記第３の固定部は、前記第３の部分と前記第２の中央部分との境界に位置し、
前記第４の固定部は、前記第４の部分と前記第２の中央部分との境界に位置し、
前記第１乃至第３のマットレスの固定時に、前記第３のベルトは、前記第２の中央部分上に前記第３及び第４の部分が重ねられた３層構造になっており、
前記固定部材は、前記第３のベルトに設けられ、前記第２の中央部分上に前記第３及び第４の部分を重ねて固定するための第３の部材をさらに有する、ことを特徴とする請求項２に記載のマットレス。
【請求項４】
前記第２のマットレス上に重ねられ、リバーシブルで使用可能である第３のマットレスをさらに具備し、
前記固定部材は、前記第１のマットレスと前記第２のマットレスと前記第３のマットレスとを固定し、
前記第２のベルトは、第１の部分と、第２の部分と、前記第１の部分と前記第２の部分との間に位置する第１の中央部分とを有し、
前記第１の固定部は、前記第１の部分と前記第１の中央部分との境界に位置し、
前記第２の固定部は、前記第２の部分と前記第１の中央部分との境界に位置し、
前記第１乃至第３のマットレスの固定時に、前記第１の部分の端部及び前記第２の部分の端部は、前記第１の中央部分の中心に固定され、
前記固定部材は、
前記第２のベルトに設けられ、前記第１の部分の前記端部及び前記第２の部分の前記端部を前記第１の中央部分の前記中心で固定するための第２の部材と、
第３の固定部と第４の固定部とを有し、前記第３の固定部が前記第３のマットレスの側面における下端部に固定され、前記第４の固定部が前記第３のマットレスの前記側面における上端部に固定された第３のベルトと、
前記第３のベルトに通され、前記第３のマットレスの前記側面における前記上端部から前記下端部まで可動し、前記第２のベルトが通されて前記第２のマットレスと前記第３のマットレスとを固定する第２の連結具と
をさらに有する、ことを特徴とする請求項１に記載のマットレス。
【請求項５】
前記第３のベルトは、第３の部分と、第４の部分と、前記第３の部分と前記第４の部分との間に位置する第２の中央部分とを有し、
前記第３の固定部は、前記第３の部分と前記第２の中央部分との境界に位置し、
前記第４の固定部は、前記第４の部分と前記第２の中央部分との境界に位置し、
前記第１乃至第３のマットレスの固定時に、前記第３の部分の端部及び前記第４の部分の端部は、前記第２の中央部分の中心に固定され、
前記固定部材は、前記第３のベルトに設けられ、前記第３の部分の前記端部及び前記第４の部分の前記端部を前記第２の中央部分の前記中心で固定するための第３の部材をさらに有する、ことを特徴とする請求項４に記載のマットレス。
【請求項６】
前記第２のマットレスは、表面と裏面の材質が異なる、ことを特徴とする請求項１に記載のマットレス。
【請求項７】
前記第３のマットレスは、表面と裏面の材質が異なる、ことを特徴とする請求項２乃至５のいずれか１項に記載のマットレス。
【請求項８】
前記第１のベルトの長さは、前記第１のマットレスの厚みの２倍である、ことを特徴とする請求項１乃至７のいずれか１項に記載のマットレス。
【発明の詳細な説明】
【技術分野】
【０００１】  本発明は、複数重ねのマットレスに関する。
【背景技術】
【０００２】  従来、複数のマットレスを重ねる場合、マットレスを固定せずに単に重ねたり、マットレスの四隅をゴムにより固定したりしていた。
【先行技術文献】
【特許文献】
【０００３】
【特許文献１】特開２０１１−２２９６２３号
【０００４】
【特許文献２】特開２００２−３１５６５１号
【発明の開示】
【発明が解決しようとする課題】
【０００５】  しかしながら、複数のマットレスを単に重ねるだけではズレが生じる。また、マットレスの四隅をゴムにより固定すると、圧迫感が生じる。このように、複数のマットレスを安定的に固定し、快適な使用が困難であった。  そこで、本発明は、複数のマットレスを安定的に固定することが可能なマットレスを提供する。
【課題を解決するための手段】
【０００６】
本発明の一実施形態に係るマットレスは、第１のマットレスと、前記第１のマットレス上に重ねられ、リバーシブルで使用可能である第２のマットレスと、前記第１のマットレスと前記第２のマットレスとを固定する固定部材とを具備し、前記固定部材は、前記第１のマットレスの側面の下端部に固定された第１のベルトと、第１の固定部と第２の固定部とを有し、前記第１の固定部が前記第２のマットレスの側面における下端部に固定され、前記第２の固定部が前記第２のマットレスの前記側面における上端部に固定された第２のベルトと、前記第２のベルトに通され、前記第２のマットレスの前記側面における前記上端部から前記下端部まで可動し、前記第１のベルトが通されて前記第１のマットレスと前記第２のマットレスとを固定する第１の連結具と、前記第１のベルトに設けられ、前記第１の連結具を通して前記第２のベルトの前記第１の固定部又は前記第２の固定部の近傍で外側に折り返された前記第１のベルトを前記第１のマットレスの前記側面上で重ねて固定するための第１の部材とを有し、前記第１のマットレスと前記第２のマットレスとを固定する際に、前記第１のベルトの前記一端と前記第１のベルトの他端とは、前記第１のマットレスの前記側面の前記下端部で、前記第１の部材によって固定される。
【発明の効果】
【０００７】  本発明は、複数のマットレスを安定的に固定することが可能なマットレスを提供することができる。
【図面の簡単な説明】
【０００８】
【図１】第１の実施形態に係る２段重ねのマットレスを示す上面図。
【図２】第１の実施形態に係る２段重ねのマットレスを示す側面図。
【図３】図２の２段重ねのマットレスの分離時の状態を示す図。
【図４】図２の２段重ねのマットレスを裏返した時の状態を示す図。
【図５】第１の実施形態に係る固定時の２段重ねのマットレスを示す正面図。
【図６】第１の実施形態に係る固定時の２段重ねのマットレスを示す側面図。
【図７】第１の実施形態に係る分離時の２段重ねのマットレスを示す拡大図。
【図８】第１の実施形態に係る分離時の２段重ねのマットレスを示す側面図。
【図９】第２の実施形態に係る３段重ねのマットレスを示す側面図。
【図１０】図９の３段重ねのマットレスの分離及び裏返した時の状態を示す図。
【図１１】第２の実施形態に係る固定時の３段重ねのマットレスを示す正面図。
【図１２】第２の実施形態に係る固定時の３段重ねのマットレスを示す側面図。
【図１３】第２の実施形態に係る着脱時の３段重ねのマットレスを示す正面図。
【図１４】第２の実施形態に係る着脱時の３段重ねのマットレスを示す側面図。
【図１５】第２の実施形態に係る分離時の３段重ねのマットレスを示す正面図。
【図１６】第２の実施形態に係る分離時の３段重ねのマットレスを示す側面図。
【図１７】第２の実施形態に係る４段以上に重ねた場合のマットレスを示す側面図。
【図１８】第２の実施形態に係る４段以上に重ねた場合のマットレスを示す側面図。
【図１９】第３の実施形態に係る固定時の３段重ねのマットレスを示す正面図。
【図２０】第３の実施形態に係る固定時の３段重ねのマットレスを示す側面図。
【図２１】第３の実施形態に係る着脱時の３段重ねのマットレスを示す正面図。
【図２２】第３の実施形態に係る着脱時の３段重ねのマットレスを示す側面図。
【図２３】第３の実施形態に係る分離時の３段重ねのマットレスを示す正面図。
【図２４】第３の実施形態に係る分離時の３段重ねのマットレスを示す側面図。
【図２５】第３の実施形態に係る４段以上に重ねた場合のマットレスを示す側面図。
【図２６】第３の実施形態に係る４段以上に重ねた場合のマットレスを示す側面図。
【発明を実施するための形態】
【０００９】  以下、実施形態について、図面を参照して説明する。尚、以下の説明において、同一の機能及び構成を有する要素については、共通する参照符号を付す。
【００１０】［１］第１の実施形態  第１の実施形態は、マットレスを２段重ねにした場合の例である。
【００１１】［１−１］全体構成  図１及び図２は、第１の実施形態に係る２段重ねのマットレスの上面図及び側面図を示す。以下、第１の実施形態に係る２段重ねのマットレスの全体構成について説明する。  図１及び図２に示すように、第１の実施形態では、２枚のマットレス１０及び２０を重ね合わせて置き、マットレス１０及び２０を固定部材３０で固定している。  マットレス１０は、複数のばねを有するスプリング部１０ａとクッション部１０ｂとで構成されている。スプリング部１０ａ及びクッション部１０ｂは、一般的なマットレスの構造を有している。  マットレス２０は、クッション部で構成されており、マットレス１０のクッション部１０ａと同程度の厚みを有している。  固定部材３０は、例えば、マットレス１０及び２０の長手方向における両側面にそれぞれ２つずつ設けられ、４箇所でマットレス１０及び２０を固定している。但し、固定箇所は、図示する位置や数に限定されず、種々変更可能である。マットレス１０及び２０の側面の端部から固定部材３０までの距離Ｄは、互いに等しいことが望ましい。
【００１２】［１−２］リバーシブル機能  図３は、図２の２段重ねのマットレスの分離時の状態を示し、図４は、図２の２段重ねのマットレスのうち、上方のマットレス（以下、トッパーと称す）を裏返した時の状態を示す。以下、第１の実施形態に係る２段重ねのマットレスのリバーシブル機能について説明する。  図３及び図４に示すように、トッパー２０は、裏返して使用することができる。つまり、トッパー２０は、Ａ面を表面として使用することも、Ｂ面を表面として使用することも可能である。  トッパー２０は、表面及び裏面（Ａ面及びＢ面）が反発性、通気性や保温性の異なる材質を有しており、例えば、低反発と高反発、夏用と冬用等を有している。これにより、トッパー２０は、季節や使用者の好みに応じて、リバーシブルで使用可能である。
【００１３】
［１−３］固定及び分離方法
図５及び図６は、第１の実施形態に係る固定時の２段重ねのマットレスの拡大図を示す。図７及び図８は、第１の実施形態に係る分離時の２段重ねのマットレスの拡大図を示す。以下、第１の実施形態に係る２段重ねのマットレスの固定及び分離方法について説明する。
図５及び図６に示すように、マットレス１０とトッパー２０を重ねた際に固定するための固定部材３０が設けられている。固定部材３０は、ベルト３１及び３３、リング（連結具）３４を有している。
ベルト３１は、マットレス１０の側面に取り付けられている。ベルト３１の一端は、マットレス１０のクッション部１０ｂの側面における下端部（固定部１１）に固定されている。ベルト３１の長さは、リング３４を通って折り返せる程度（例えば、マットレス１０のクッション部１０ｂの厚みの２倍程度）が望ましい。
ベルト３１の両端部の表面には、ベルクロ（登録商標）３２ａ及び３２ｂがそれぞれ設けられている。ベルト３１の固定部１１近傍に設けられたベルクロ（登録商標）３２ａは、ベルト３１の端部近傍に設けられたベルクロ（登録商標）３２ｂより面積が広いことが望ましい。尚、ベルクロ（登録商標）３２ａ及び３２ｂの代わりに、スナップボタン等、固定できる部材であれば何でもよい。
ベルト３３は、トッパー２０の側面に取り付けられている。ベルト３３の一端は、トッパー２０の側面における下端部（固定部２１）に固定され、ベルト３３の他端は、トッパー２０の側面における上端部（固定部２２）に固定されている。
ベルト３１及び３３の固定方法は、例えば、マットレス１０及びトッパー２０のテープエッジに縫込み、タグピン等で固定してもよい。ベルト３１及び３３としては、例えば、布、ビニール、革等が用いられる。
リング３４は、トッパー２０のベルト３３に通されている。リング３４は、可動式であり、トッパー２０の側面における上端部（固定部２２）から下端部（固定部２１）まで自由に動かすことができる。リング３４は、例えば、バックル素材（例えば、鉄とニッケルメッキ）、プラスチック、合成樹脂等からなる。リング３４の形状は、例えば、正方形、長方形、六角形、円、楕円等、どのような形状でもよい。リング３４は、１つのベルト３３に対して１つ設けられているが、より強固にするために２つ以上設けてもよい。
図７及び図８に示すように、マットレス１０及びトッパー２０の分離時は、マットレス１０のベルト３１のベルクロ（登録商標）３２ａ及び３２ｂを剥がし、ベルト３１をリング３４から抜く。トッパー２０のＢ面を表面として使用する場合、トッパー２０を裏返し、ベルト３１をリング３４に通してベルクロ（登録商標）３２ａ及び３２ｂで固定する。この際、固定部材３０のリング３４は、ベルト３３を自由に上下可能であるため、トッパー２０を裏返しても、マットレス１０及びトッパー２０を固定する位置は変わらない。
【００１４】［１−４］効果  第１の実施形態によれば、マットレス１０及びトッパー２０を２段重ねにする場合に、固定部材３０でマットレス１０及びトッパー２０を固定することで、ズレの発生を抑制し、より安定的な使用を可能にする。  トッパー２０を裏返した場合であっても、ベルト３３に通したリング３４を自由に上下させて、マットレス１０及びトッパー２０を固定することができる。このように、トッパー２０をリバーシブルで使用する際も、可動式のリング３４を用いることでマットレス１０及びトッパー２０を安定的に固定することができる。  トッパー２０を表裏面でリバーシブルに使用することができる。つまり、固定部材３０を外すことで裏返して安定的に使用することができる。このため、トッパー２０の表裏面で硬さ、通気性等の異なるクッションにすることで、硬さ、季節に応じた調整をして使用することができる。  第１の実施形態では、トッパー２０を取り付けた状態（Ａ面を使用する状態とＢ面を使用する状態）、トッパー２０を取り外した状態で、３種類の寝心地を自由に変更できる。  マットレス１０及びトッパー２０は、固定部材３０によって４箇所で固定している。これにより、全周のファスナーや縫製を用いた場合と異なり、寝た時の圧迫感を軽減することができ、快適な使用を図ることができる。  トッパー２０は、マットレス１０から取り外すことが可能である。このため、取り外したトッパー２０を、別の人が異なる場所でマットレスとして使用したりする等、本体のマットレス１０と別々に使用することができる。  従来のマットレスは、重いため陰干し等が困難である。これに対し、第１の実施形態では、トッパー２０を分離することができるため、トッパー２０を干すことが容易になる。  トッパー２０が消耗した場合、トッパー２０のみを交換することで、マットレス１０自体を長期に渡って使用することができる。
【００１５】［２］第２の実施形態  第２の実施形態は、マットレスを３段重ねにした場合の例である。尚、第２の実施形態では、第１の実施形態と異なる点について主に説明する。
【００１６】［２−１］全体構成  図９は、第２の実施形態に係る３段重ねのマットレスの側面図を示す。図１０は、図９の３段重ねのマットレスの分離及び裏返した時の状態を示す。以下、第２の実施形態に係る３段重ねのマットレスの全体構成について説明する。  図９及び図１０に示すように、第２の実施形態では、３枚のマットレス１０、２０及び４０を重ね合わせて置き、マットレス１０、２０及び４０を固定部材３０で固定している。  マットレス１０、２０及び４０のうち、上方の２枚のマットレス（以下、トッパーと称す）２０及び４０は、マットレス１０から分離して裏返して使用することができる。トッパー４０は、第１の実施形態のトッパー２０と同様、表面及び裏面（Ａ面及びＢ面）で異なる構造を有している。トッパー２０とトッパー４０とを入れ替えて、トッパー４０をマットレス１０上に直接置くことも可能である。  固定部材３０は、例えば、マットレス１０、トッパー２０及び４０の長手方向における両側面にそれぞれ２つずつ設けられ、４箇所でマットレス１０、トッパー２０及び４０を固定している。但し、固定箇所は、図示する位置や数に限定されず、種々変更可能である。マットレス１０、トッパー２０及び４０の側面の端部から固定部材３０までの距離Ｄは、互いに等しいことが望ましい。
【００１７】
［２−２］固定、着脱及び分離方法
図１１及び図１２は、第２の実施形態に係る固定時の３段重ねのマットレスの拡大図を示す。図１３及び図１４は、第２の実施形態に係る着脱時の３段重ねのマットレスの拡大図を示す。図１５及び図１６は、第２の実施形態に係る分離時の３段重ねのマットレスの拡大図を示す。以下、第２の実施形態に係る３段重ねのマットレスの固定、着脱及び分離方法について説明する。
図１１及び図１２に示すように、マットレス１０とトッパー２０及び４０を重ねた際に固定するための固定部材３０が設けられている。固定部材３０は、ベルト３１、３３及び３６、リング（連結具）３４及び３７を有している。
ベルト３１は、第１の実施形態と同様の構造である。つまり、ベルト３１の一端は、マットレス１０のクッション部１０ｂの側面における下端部（固定部１１）に固定され、ベルト３１の両端部の表面には、ベルクロ（登録商標）３２ａ及び３２ｂがそれぞれ設けられている。
ベルト３３は、トッパー２０の側面に取り付けられている。ベルト３３は、第１の部分３３ａ、第２の部分３３ｂ及び中央部分３３ｃを有している。ベルト３３の第１の部分３３ａと中央部分３３ｃとの境界部は、トッパー２０の側面における下端部（固定部２１）に固定され、ベルト３３の第２の部分３３ｂと中央部分３３ｃとの境界部は、トッパー２０の側面における上端部（固定部２２）に固定されている。ベルト３３の長さは、リング３４及び３７を通って折り返せる程度（例えば、トッパー２０の厚みの３倍程度）が望ましい。
ベルト３３には、第１の部分３３ａの両面にベルクロ（登録商標）３５ａ及び３５ｃがそれぞれ設けられ、第２の部分３３ｂにベルクロ（登録商標）３５ｂが設けられ、中央部分３３ｃにベルクロ（登録商標）３５ｄが設けられている。固定時には、ベルクロ（登録商標）３５ａ及び３５ｂが固定され、ベルクロ（登録商標）３５ｃ及び３５ｄが固定される。
固定時に、ベルト３３の第１の部分３３ａの端部は、固定部２２近傍にベルクロ（登録商標）３５ｃ及び３５ｄで固定され、ベルト３３の第２の部分３３ｂの端部は、固定部２１近傍にベルクロ（登録商標）３５ａ及び３５ｂで固定される。つまり、固定時のベルト３３は、中央部分３３ｃ、第１の部分３３ａ及び第２の部分３３ｂが順に重ねられた３層構造となっている。
ベルト３６は、トッパー４０の側面に取り付けられており、ベルト３３と同様の構造を有している。つまり、ベルト３６は、第１の部分３６ａ、第２の部分３６ｂ及び中央部分３６ｃを有している。ベルト３６の第１の部分３６ａと中央部分３６ｃとの境界部は、トッパー４０の側面における下端部（固定部４１）に固定され、ベルト３６の第２の部分３６ｂと中央部分３６ｃとの境界部は、トッパー４０の側面における上端部（固定部４２）に固定されている。ベルト３６の長さは、リング３７を通って折り返せる程度（例えば、トッパー４０の厚みの３倍程度）が望ましい。
ベルト３６には、第１の部分３６ａの両面にベルクロ（登録商標）３８ａ及び３８ｃがそれぞれ設けられ、第２の部分３６ｂにベルクロ（登録商標）３８ｂが設けられ、中央部分３６ｃにベルクロ（登録商標）３８ｄが設けられている。固定時には、ベルクロ（登録商標）３８ａ及び３８ｂが固定され、ベルクロ（登録商標）３８ｃ及び３８ｄが固定される。
固定時に、ベルト３６の第１の部分３６ａの端部は、固定部４２近傍にベルクロ（登録商標）３８ｃ及び３８ｄで固定され、ベルト３６の第２の部分３６ｂの端部は、固定部４１近傍にベルクロ（登録商標）３８ａ及び３８ｂで固定される。つまり、固定時のベルト３６は、中央部分３６ｃ、第１の部分３６ａ及び第２の部分３６ｂが順に重ねられた３層構造となっている。
ベルト３１、３３及び３６の固定方法は、例えば、マットレス１０、トッパー２０及び４０のテープエッジに縫込み、タグピン等で固定してもよい。ベルト３１、３３及び３６としては、例えば、布、ビニール、革等が用いられる。
リング３７は、トッパー４０のベルト３６に通されている。リング３７は、可動式であり、トッパー４０の側面における上端部（固定部４２）から下端部（固定部４１）まで自由に動かすことができる。
図１３乃至図１６に示すように、マットレス１０、トッパー２０及び４０の分離時は、マットレス１０のベルト３１のベルクロ（登録商標）３２ａ及び３２ｂを剥がし、ベルト３１をリング３４から抜く。さらに、マットレス２０のベルト３３のベルクロ（登録商標）３５ａ、３５ｂ、３５ｃ及び３５ｄを剥がし、ベルト３３をリング３７から抜く。例えば、トッパー４０のＢ面を表面として使用する場合、トッパー４０を裏返し、ベルト３３をリング３７に通してベルクロ（登録商標）３５ａ、３５ｂ、３５ｃ及び３５ｄで固定する。この際、固定部材３０のリング３７は、ベルト３６を自由に上下可能であるため、トッパー４０を裏返しても、トッパー２０及び４０を固定する位置は変わらない。
【００１８】［２−３］効果  第２の実施形態によれば、上記第１の実施形態と同様の効果を得ることができるだけでなく、さらに、次のような効果も得ることができる。  第２の実施形態では、マットレス１０、２０及び４０を３段に重ねている。このため、トッパー２０及び４０を２つ外して使用でき、この２つのトッパー２０及び４０を横に並べてダブルサイズのマットレスとして使用することができる。  また、トッパー２０及び４０のベルト３３及び３６は、同じ構造である。これにより、マットレス１０上にトッパー２０を取り付けた状態（トッパー２０のＡ面を使用する状態とＢ面を使用する状態）、マットレス１０上にトッパー２０及び４０を取り付けた状態（トッパー４０のＡ面を使用する状態とＢ面を使用する状態）、トッパー２０及び４０を取り外した状態で、５種類の寝心地を自由に変更できる。  尚、第２の実施形態では、図１７及び図１８に示すように、マットレスを４段以上に重ね合わせることも可能である。
【００１９】［３］第３の実施形態  第３の実施形態は、第２の実施形態の変形例であり、固定部材３０のベルト３３及び３６の留め方が異なる。尚、第３の実施形態では、第１及び第２の実施形態と異なる点について主に説明する。
【００２０】
［３−１］固定、着脱及び分離方法
図１９及び図２０は、第３の実施形態に係る固定時の３段重ねのマットレスの拡大図を示す。図２１及び図２２は、第３の実施形態に係る着脱時の３段重ねのマットレスの拡大図を示す。図２３及び図２４は、第３の実施形態に係る分離時の３段重ねのマットレスの拡大図を示す。以下、第３の実施形態に係る３段重ねのマットレスの固定、着脱及び分離方法について説明する。
図１９乃至図２４に示すように、第３の実施形態において、第２の実施形態と異なる点は、ベルト３３及び３６の固定方法である。具体的には、第３の実施形態では、マットレスの固定時に、ベルト３３の第１の部分３３ａの端部及び第２の部分３３ｂの端部は中央部分３３ｃの中心にベルクロ（登録商標）３５ａ、３５ｂ、３５ｃ及び３５ｄで固定され、ベルト３６の第１の部分３６ａの端部及び第２の部分３６ｂの端部は中央部分３６ｃの中心にベルクロ（登録商標）３８ａ、３８ｂ、３８ｃ及び３８ｄで固定されている。マットレス１０、トッパー２０及び４０の固定時に、ベルト３３及び３６は、２層に重ねられている。ベルト３３及び３６の長さは、リング３４及び３７を通って折り返した際に重ならない程度（例えば、トッパー２０及び４０の厚みの２倍程度）が望ましい。
マットレス１０、トッパー２０及び４０の分離時は、マットレス１０のベルト３１のベルクロ（登録商標）３２ａ及び３２ｂを剥がし、ベルト３１をリング３４から抜く。さらに、マットレス２０のベルト３３のベルクロ（登録商標）３５ａ、３５ｂ、３５ｃ及び３５ｄを剥がし、ベルト３３をリング３７から抜く。例えば、トッパー４０のＢ面を表面として使用する場合、トッパー４０を裏返し、ベルト３３をリング３７に通してベルクロ（登録商標）３５ａ、３５ｂ、３５ｃ及び３５ｄで固定する。この際、固定部材３０のリング３７は、ベルト３６を自由に上下可能であるため、トッパー４０を裏返しても、トッパー２０及び４０を固定する位置は変わらない。
【００２１】［３−２］効果  第３の実施形態によれば、上記第１及び第２の実施形態と同様の効果を得ることができるだけでなく、さらに、次のような効果も得ることができる。  第３の実施形態では、マットレス１０、トッパー２０及び４０の固定時に、ベルト３３及び３６が２層に重ねられている。このため、３層に重ねられる第２の実施形態よりも、固定部材３０をコンパクトにすることができ、美観性も向上できる。  尚、第３の実施形態では、図２５及び図２６に示すように、マットレスを４段以上に重ね合わせることも可能である。  尚、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。
【符号の説明】
【００２２】
１  マットレス
１１、２１、２２、４１、４２  固定部
２０、４０  トッパー（マットレス）
３０  固定部材
３１、３３、３６  ベルト
３２ａ、３２ｂ、３５ａ、３５ｂ、３５ｃ、３５ｄ、３８ａ、３８ｂ、３８ｃ、３８ｄ  ベルクロ（登録商標）
３４、３７  リング。
【要約】複数のマットレスを安定的に固定することが可能なマットレスを提供する。マットレスは、第１のマットレス（１０）と、第１のマットレス（１０）上に重ねられた第２のマットレス（２０）と、第１のマットレス（１０）と第２のマットレス（２０）とを固定する固定部材（３０）とを具備する。固定部材（３０）は、第１のマットレス（１０）の側面に取り付けられた第１のベルト（３１）と、第１の固定部（２１）が第２のマットレス（２０）の側面における下端部に固定され、第２の固定部（２２）が第２のマットレス（２０）の側面における上端部に固定された第２のベルト（３３）と、第２のベルト（３３）に通され、第２のマットレス（２０）の側面における上端部から下端部まで可動し、第１のベルト（３１）が通されて第１及び第２のマットレスを固定する連結具（３４）とを有する。【図１】
0005879009.tif 000002
【図２】
0005879009.tif 000003
【図３】
0005879009.tif 000004
【図４】
0005879009.tif 000005
【図５】
0005879009.tif 000006
【図６】
0005879009.tif 000007
【図７】
0005879009.tif 000008
【図８】
0005879009.tif 000009
【図９】
0005879009.tif 000010
【図１０】
0005879009.tif 000011
【図１１】
0005879009.tif 000012
【図１２】
0005879009.tif 000013
【図１３】
0005879009.tif 000014
【図１４】
0005879009.tif 000015
【図１５】
0005879009.tif 000016
【図１６】
0005879009.tif 000017
【図１７】
0005879009.tif 000018
【図１８】
0005879009.tif 000019
【図１９】
0005879009.tif 000020
【図２０】
0005879009.tif 000021
【図２１】
0005879009.tif 000022
【図２２】
0005879009.tif 000023
【図２３】
0005879009.tif 000024
【図２４】
0005879009.tif 000025
【図２５】
0005879009.tif 000026
【図２６】
0005879009.tif 000027